(57)【特許請求の範囲】
【請求項１】
上方に開口する箱状のキャビネットの上端にカウンターが天板として取り付けられ、カウンターの直下にキャビネットの前面上端部を形成する幕板が設けられたキャビネットにおける幕板の変形抑制構造であって、
前記幕板の上端面部には、略円錐状の突起を所定間隔で備えた帯状の部品または前記突起の進入が可能であり、略円形の開口を有する凹部が所定間隔で設けられ、前記カウンターの前端側の裏面部には、前記突起または前記凹部に対向する位置に、前記突起の進入が可能であり、略円形の開口を有する凹部または略円錐状の突起を所定間隔で備えた帯状の部品が設けられ、前記各突起が対向する前記凹部の一つに入り込み、係合し、幕板のたわみ変形が抑制される
ことを特徴とするキャビネットにおける幕板の変形抑制構造。
【請求項２】
前記突起を一定間隔で備えた前記帯状の部品が、前記幕板の前記上端面またはこれに対向する前記カウンターの前記前端側の裏面に取り付けられていることを特徴とする請求項１に記載のキャビネットにおける幕板の変形抑制構造。
【発明の詳細な説明】
【技術分野】
【０００１】
本発明は、洗面化粧台や厨房装置などに備え付けられるキャビネットにおける幕板の変形抑制構造に関する。
【背景技術】
【０００２】
洗面化粧台や厨房装置などに備え付けられる各種のキャビネットは、上方に開口する箱体であり、その上端に、洗面ボウルやシンクなどが取り付けられたカウンターが、天板として取り付けられる。このようなキャビネットでは、カウンターの直下に、キャビネットの前面上端部を形成する化粧用の幕板が取り付けられている。
【０００３】
この幕板の取付構造として、本出願人は、たとえば、下記特許文献１に記載したものを提案している。
【０００４】
特許文献１に記載した埋め込み式手洗いキャビネットでは、本体キャビネットの上部前面に取り付けられる幕板は、その左右裏面の端部上部に取り付けた被挟持手段と、本体キャビネットの左右側板の裏面前方上部に設けた弾性挟持手段とによって着脱自在としている。また、幕板は、本体キャビネット前方上部に取り付けた前桟の左右両端下部に穿設した挿通孔を介してネジ留めされる。
【０００５】
このような埋め込み式手洗いキャビネットにおける幕板の取付構造は、幕板を本体キャビネットの左右側板にＬ字型金具により固定する構造と比較して、幕板の簡単な取付けと取外しを実現するものである。
【先行技術文献】
【特許文献】
【０００６】
【特許文献１】特開２００２−２３３４６５号公報
【発明の概要】
【発明が解決しようとする課題】
【０００７】
一方、洗面化粧台や厨房装置などでは、最近、横幅のモジュールが1000mmを超える寸法にまで拡大されることが多く、そのような洗面化粧台や厨房装置に備え付けられるキャビネットでは、幕板の長尺化をともなうことになる。
【０００８】
上記特許文献１に記載した幕板の取付構造では、幕板は、上記のとおり、左右両端部においてのみキャビネットの左右側板や前桟に固定される。このため、木質材料が多く適用される幕板については、長尺となる場合、その前方に立って作業をする人がもたれかかるなどの外力が加わると、幕板が後方にたわむように変形することが懸念される。この幕板のたわみ変形は、洗面化粧台や厨房装置などの使用者に構造上の弱さという印象を与え、不安感や低品質感などをもよおさせる心配がある。
【０００９】
本発明は、以上のとおりの事情に鑑みてなされたものであり、幕板が長尺化した場合にも幕板のたわみ変形を抑制することのできる、キャビネットにおける幕板の変形抑制構造を提供することを課題としている。
【課題を解決するための手段】
【００１０】
上記の課題を解決するために、本発明のキャビネットにおける幕板の変形抑制構造は、上方に開口する箱状のキャビネットの上端にカウンターが天板として取り付けられ、カウンターの直下にキャビネットの前面上端部を形成する幕板が設けられたキャビネットにおける幕板の変形抑制構造であって、前記幕板の上端面部には、略円錐状の突起を所定間隔で備えた帯状の部品または前記突起の進入が可能であり、略円形の開口を有する凹部が所定間隔で設けられ、前記カウンターの前端側の裏面部には、前記突起または前記凹部に対向する位置に、前記突起の進入が可能であり、略円形の開口を有する凹部または略円錐状の突起を所定間隔で備えた帯状の部品が設けられ、前記各突起が対向する前記凹部の一つに入り込み、係合し、幕板のたわみ変形が抑制されることを特徴とする。
【００１１】
このキャビネットにおける幕板の変形抑制構造においては、前記突起を一定間隔で備えた前記帯状の部品が、前記幕板の前記上端面またはこれに対向する前記カウンターの前記前端側の裏面に取り付けられていることが好ましい。
【発明の効果】
【００１３】
本発明のキャビネットにおける幕板の変形抑制構造によれば、幕板の上端面部またはカウンターの前側の裏面部に設けられた円錐状の突起が、これに対向するカウンターの前側の裏面部または幕板の上端面部に設けられた、略円形の開口を有する凹部に入り込み、係合する。このため、幕板のたわみ変形が抑制され、この幕板のたわみ変形の抑制は、幕板が長尺化した場合にも有効となる。
【図面の簡単な説明】
【００１４】
【図１】本発明のキャビネットにおける幕板の変形抑制構造の一実施形態と、この実施形態が適用された洗面化粧台を示した正面図である。
【図２】図１に示した洗面化粧台の斜視図である。
【図３】図１に示した洗面化粧台のＡ−Ａ断面であり、図１に示したキャビネットにおける幕板の変形抑制構造の拡大断面図である。
【図４】（ａ）は、図１に示した洗面化粧台のカウンターの裏面側を示した斜視図であり、（ｂ）は、図１に示した洗面化粧台の幕板の上端面に設けられる、突起を備えた帯状の部品を示した斜視図である。
【発明を実施するための形態】
【００１５】
上記のとおり、図１は、本発明のキャビネットにおける幕板の変形抑制構造の一実施形態と、この実施形態が適用された洗面化粧台を示した正面図である。図２は、図１に示した洗面化粧台の斜視図である。図３は、図１に示した洗面化粧台のＡ−Ａ断面であり、図１に示したキャビネットにおける幕板の変形抑制構造の拡大断面図である。図４（ａ）は、図１に示した洗面化粧台のカウンターの裏面側を示した斜視図であり、図４（ｂ）は、図１に示した洗面化粧台の幕板の上端面に設けられる、突起を備えた帯状の部品を示した斜視図である。
【００１６】
図１および図３に示したように、洗面化粧台１は、略直方体状の箱体であるキャビネット２が備え付けられたものであり、奥行寸法に対して横幅の寸法が大きく、1000mmを超える横幅のモジュールに対応可能とされている。
【００１７】
キャビネット２の前面３は、その上端部を形成している化粧用の幕板４と、幕板４の直下に設けられた引き出し５の前板５ａと、引き出し５の直下に設けられた引き出し６の前板６ａとによって形成されている。引き出し６の深さは、引き出し５の深さより深く、引き出し６の収納量は、引き出し５の収納量より大きくなっている。
【００１８】
前面３に対向して位置するキャビネット２の背面は背板７によって形成され、前面３の左右両端部には、キャビネット２の左側面８を形成する左側板９と、キャビネット２の右側面１０を形成する右側板１１とが設けられている。背板７は、洗面化粧台１の横幅に対応する横長長方形状の形状を有し、一方、左側板９および右側板１１は、縦長長方形状の形状を有している。幕板４、背板７、左側板９および右側板１１には、いずれも木質の板材が採用されている。
【００１９】
また、キャビネット２は、上方に開口しており、その上端、すなわち、幕板４、背板７、左側板９および右側板１１の上端に、これらによって囲まれる横長長方形状の開口にちょうど納まる大きさを有するカウンター１２が、キャビネット２の天板１３として設けられている。カウンター１２は、合成樹脂製であり、いわゆる人工大理石などからも形成可能である。また、カウンター１２では、その略中央部に、洗面ボウル１４が、左右両側に位置する平板部１５、１６と一体に形成されている。洗面ボウル１４の底面には、その奥側に、上下に貫通する排水口１７が形成されている。
【００２０】
さらに、カウンター１２では、横長長方形状の形状を有する立ち上がり壁部１８が、後端部において上方に立設されている。立ち上がり壁部１８には、水栓金具を取り付けるための取付口１９が、前後に貫通して形成されている。立ち上がり壁部１８も、カウンター１２において、洗面ボウル１４および平板部１５、１６と一体に形成することができる。
【００２１】
また、キャビネット２では、その下端に、略矩形の形状を有する筒状の台輪２０が取り付けられている。台輪２０の前面２０ａは、キャビネット２の前面３よりも後方に配置され、洗面化粧台１では、前面３の直下に、手洗いや洗面などを行う人の足の指先が入り込む大きさの蹴込み２１が形成されている。
【００２２】
上記のとおりの洗面化粧台１に備え付けられたキャビネット２では、幕板４は、カウンター１２の直下に配置され、カウンター１２に一体に形成された洗面ボウル１４をその前方から覆い隠し、洗面化粧台１の外観を良好にしている。幕板４は、図１に示したように、左右両端部の裏面に、ビスなどの固着具によって取り付けられたＬ字型金具２２によって左側板９と右側板１１の前端部に固定されている。Ｌ字型金具２２は、左側板９および右側板１１にもビスなどの固着具によって取り付けられている。
【００２３】
また、幕板４は、その下端部と、引き出し５の前板５ａの上端部とにわたって配置された前桟２３にも、そのやや中央寄りの２箇所において固着具２４によって固定されている。前桟２３は、キャビネット２の前端部において、左側板９と右側板１１の間に架設されている。前桟２３は、幕板４の固定用であるばかりでなく、下端部が、引き出し５の前板５ａの背面に接触可能であり、戸当りとしての機能も有している。
【００２４】
このような幕板４の固定は、十分な強度を有し、不意の脱落などを抑制することができる。
【００２５】
一方、洗面化粧台１の横幅のモジュールが1000mmを超える寸法にまで拡大される場合には、幕板４は長尺となり、洗面化粧台１の前方に立って作業をする人がもたれかかるなどの外力が加わると、幕板４が後方にたわむように変形することが懸念される。このたわみ変形を抑制するために、キャビネット２では、図３および図４（ａ）（ｂ）に示したように、幕板４の上端面部２５には、上方に突出する略円錐状の突起２６が一定間隔で設けられている。また、カウンター１２の前端側の裏面部２７には、突起２６に対向する位置に、突起２６の進入が可能であり、略円形の開口２８を有し、上方にくぼむ凹部２９が設けられている。
【００２６】
各突起２６は、キャビネット２の上端にカウンター１２を取り付ける際に、対向する凹部２９の一つに入り込み、係合する。このような突起２６と凹部２９の係合は、幕板４およびカウンター１２の横幅全体に及ぶため、洗面化粧台１の前方に立って作業をする人がもたれかかるなどの外力が幕板４に加わっても、幕板４が後方にたわむように変形するのを抑制することができる。各突起２６と凹部２９の係合それ自体は部分的なものではあるが、長尺化した幕板４のたわみ変形は十分に抑制される。
【００２７】
また、凹部２９は、略円形の開口２８を有する一つ一つが独立したものであるので、たとえば線状の溝のように連続したものに比べ、カウンター１２の強度の低下を抑制することができる。
【００２８】
なお、突起２６は、各一つを個別に作製し、ダボのように、下端部を幕板４の上端面部２５に埋め込んで取り付けることもできるが、取付作業を考慮すると、図４（ｂ）に示したように、複数の突起２６を一定間隔で備えた帯状の部品３０を採用することが好ましい。帯状の部品３０を幕板４の上端面に取り付けることによって、突起２６は、一定間隔で幕板４の上端面部２５に簡便かつ容易に取り付けることができる。
【００２９】
帯状の部品３０では、幕板４の厚みに略一致する幅を有する、薄い帯状の基材３１に複数の突起２６が一定間隔で設けられ、各突起２６は基材３１と一体に形成されている。基材３１には、たとえば、木口テープなどを利用することができ、この場合、木口テープの裏面に設けられた粘着剤によって幕板４の上端面に貼り付けて固定することができる。突起２６の取付作業はより簡便かつ容易になる。
【００３０】
また、突起２６は、熱可塑性樹脂から形成することが好ましい。熱可塑性樹脂から形成された突起２６は、弾性変形が可能であり、幕板４にたわみ変形が起こるような外力が加わる際に、突起２６に加わる荷重負荷を軽減することができる。幕板４のたわみ変形の抑制を安定して実現することができる。
【００３１】
さらに、凹部２９については、内周面３２の形状を、突起２６の側面３３である円錐面をその外側から包み込むことができるような間口の大きい紡錘形状とすることが好ましい。このようにすることによって、突起２６を凹部２９に挿入する際に、幕板４とカウンター１２の配置位置などに起因する寸法公差を吸収することができ、突起２６の凹部２９への挿入が容易となり、しかも挿入を確実に行うことが可能となる。また、凹部２９の形成に高い加工精度が要求されずにすむ。凹部２９の形成は、カウンター１２の成形と同時に行っても、成形後に行ってもどちらでもよい。
【００３２】
また、本発明のキャビネットにおける幕板の変形抑制構造では、突起２６を、カウンター１２の前端側の裏面部２７に設け、凹部２９を幕板４の上端面部２５に設けることもできる。この場合、突起２６は、カウンター１２の前端側の裏面部２７から下方に突出し、凹部２９は、幕板４の上端面部２５の下方にくぼむように設けられる。このようにしても、幕板４のたわみ変形を上記実施形態と同様に抑制することが可能である。
【００３３】
さらに、本発明のキャビネットにおける幕板の変形抑制構造では、突起２６や凹部２９を一定間隔に設けるばかりでなく、幕板４の上端面部２５に設ける間隔と、カウンター１２の前端側の裏面部２７に設ける間隔とが同じであれば、突起２６同士の間隔および凹部２９同士の間隔は一定ではなく、任意とすることもできる。
【００３４】
そして、本発明のキャビネットにおける幕板の変形抑制構造は、洗面化粧台ばかりでなく、厨房装置などに備え付けられるキャビネットに対しても同様に適用することが可能である。
【符号の説明】
【００３５】
２  キャビネット
３  前面
４  幕板
１２  カウンター
１３  天板
２５  上端面部
２６  突起
２７  カウンターの前端側の裏面部
２８  開口
２９  凹部
３０  帯状の部品
【図１】
0005849244.tif 000002
【図２】
0005849244.tif 000003
【図３】
0005849244.tif 000004
【図４】
0005849244.tif 000005